(57)【要約】【課題】光出力の温度補償の精度が高くかつ低コストの光送信機を提供する。【解決手段】発光する第１のダイオードと、第２のダイオードと、が同一のチップ上に形成された発光素子を用い、この発光素子の温度変化に応じて変化する第２のダイオードの順電圧を測定し、この順電圧の変化に応じて第１のダイオードの駆動電流を増減させる。また、発光する第１のダイオードと、第２のダイオードと、が同一のチップ上に形成された発光素子を用い、第２のダイオードの発熱を利用して発光素子の温度を一定に維持するようにする。【選択図】  図１
2005019512.tif 000002
【特許請求の範囲】
【請求項１】
第１の入力端子と、第２の入力端子と、出力端子と、を有し、前記第１の入力端子から入力された入力電気信号に応じて前記出力端子から駆動電流を出力する送信回路と、
同一チップ上に形成された、第１のダイオードと、第２のダイオードと、を有し、前記第１のダイオードの陽極または陰極の一方が前記出力端子に接続され、他方が外部接続用電極に接続され、前記出力端子からの前記駆動電流により前記第１のダイオードが発光し、前記第２のダイオードの陽極または陰極の一方が前記第２の入力端子に接続され、他方が前記外部接続用電極に接続された、発光素子と、
を備え、
前記第２の入力端子の電位を測定することによって、前記第２のダイオードの前記陽極と前記陰極との電位差を測定し、この電位差から前記発光素子の温度を検出し、その温度検出値に応じて、前記出力端子からの前記駆動電流を増減することを特徴とする光送信機。
【請求項２】
前記第２のダイオードは、発光しないか、または、前記第１のダイオードに比べて１／１０以下の微弱な発光をすることを特徴とする請求項１記載の光送信機。
【請求項３】
前記第２のダイオードが定電流で駆動されていることを特徴とする請求項１または請求項２記載の光送信機。
【請求項４】
入力端子と、第１の出力端子と、を有し、前記入力端子から入力された入力電気信号に応じて前記第１の出力端子から駆動電流を出力する送信回路と、
温度検出部と、第２の出力端子と、を有し、前記温度検出部で検出した温度に応じて前記第２の出力端子から電流を出力する補正出力回路と、
同一チップ上に形成された、第１のダイオードと、第２のダイオードと、を有し、前記第１のダイオードの陽極または陰極の一方が前記出力端子に接続され、他方が外部接続用電極に接続され、前記出力端子からの前記駆動電流により前記第１のダイオードが発光し、前記第２のダイオードの陽極または陰極の一方が前記第２の入力端子に接続され、他方が前記外部接続用電極に接続され、前記第２の出力端子からの前記電流により前記第２のダイオードが駆動される、発光素子と、
を備え、
前記温度検出部が検出した温度が上昇するとその上昇の割合に応じて前記電流を下げて前記第２のダイオードの発熱を抑制することで、前記発光素子の温度の上昇を抑制し、
前記温度検出部が検出した温度が低下するとその低下の割合に応じて前記電流を上げて前記第２のダイオードの発熱を増加させることで、前記発光素子の温度の下降を抑制することを特徴とする光送信機。
【発明の詳細な説明】
【０００１】
【発明の属する技術分野】
本発明は、光送信機に関する。
【０００２】
【従来の技術】
光伝送は、発光素子からの光を用いてデータを伝送する方式であり、さまざまな分野に用いられている。この光伝送では、光送信機がデジタルの電気信号を光信号に変換してデータを送信し、この光信号を光受信機が受信して再びデジタルの電気信号に変換する。この光伝送は、電磁ノイズの影響を受けないという利点があり、その用途が拡大している。
【０００３】
上記の光送信機では、入力される電気信号がＨレベルのとき発光素子が点灯し、入力される電気信号がＬレベルのとき発光素子が消灯する。この発光素子からの光の出力は、一定であることが望ましい。これは、例えば光の出力の変動が４０％程度まで大きくなると、光受信機での受信の誤りを防止するために、高性能の光受信機を設けなければならなくなってしまうからである。ところが、発光素子は、環境温度Ｔａおよびこの環境温度Ｔａと相関がある発光素子の温度Ｔｊにより、光出力が変動する。そこで、光送信機では、発光素子の温度補償を行い、温度による発光素子の光の出力の変化を抑制している。このような発光素子の温度補償は、例えば、特開平８−３６０４７号公報に記載されている。
【０００４】
図７は、従来の光送信機の一例を示す図である。この光送信機は、発光素子１０１としてＬＥＤ（Ｌｉｇｈｔ  Ｅｍｉｔｔｉｎｇ  Ｄｉｏｄｅ）等の面発光ダイオードを使用した場合に多く用いられている。図７の光送信機では、伝送する電気信号は、送信回路１０２の入力端子１２１に入力される。この送信回路１０２は、入力回路１３１と、駆動回路１３２と、温度検出回路１３３と、を有している。この送信回路１０２の出力端子１２２には、発光素子１０１が接続されている。この例では、発光素子１０１は、陽極（アノード）が出力端子１２２に接続され、陰極（カソード）がグランドに接続されている。
【０００５】
図７の光送信機では、発光素子１０１が、出力端子１２２からの駆動電流の注入により、光を放射する。もっとも、この発光素子１０１は、上記のように、発光素子の温度Ｔｊにより光出力Ｐｏが変動し、この温度Ｔｊが高くなるほど光出力Ｐｏが低下する。そこで、図７の光送信機では、温度検出回路１３３で環境温度Ｔａを検出し、検出した環境温度Ｔａに応じて発光素子１０１の駆動電流を増減させることで、発光素子１０１の光の出力の温度補償を行っている。
【０００６】
すなわち、図７の光送信機の送信回路１０２は、温度検出回路１３３で環境温度Ｔａを検出する。この温度検出回路１３３は、具体的には、温度特性をもつ抵抗、ダイオード、トランジスタ、等を有している。この温度検出回路１３３からの出力電圧は、環境温度Ｔａが上昇すると、低下する。この出力電圧は、駆動回路１３２の制御端子に入力されている。そして、この出力電圧が低下すると、駆動回路１３２からの出力電流が増加する。これにより、出力端子１２２からの駆動電流が増加する。このように、環境温度Ｔａが上昇して発光素子１０１の光出力が低下すると、それを補うように、駆動電流が増加する。これにより、温度上昇による発光素子１０１の光出力の低下が抑制される。このようにして、光出力の温度補償を行っている。
【０００７】
また、図８は、従来の光送信機の他の例を示す図である。この光送信機は、発光素子１０１としてＬＤ（Ｌａｓｅｒ  Ｄｉｏｄｅ）を使用した場合に多く用いられる。このＬＤは、ＬＥＤに比べ、高速動作が可能である。もっとも、ＬＤは、ＬＥＤに比べ、温度変化による光出力の変動が大きく、温度変化により閾値も変化し、個々の素子の光出力のばらつきも大きい。そこで、発光素子１０１としてＬＤを使用する場合は、温度補償の精度が高い光送信機として、図８の光送信機が多く用いられる。
【０００８】
上記の図８の光送信機では、発光素子１０１の近傍に、フォトダイオード（ＰＤ）１０３が設置されている。このフォトダイオード１０３は、発光素子１０１の光の出力を直接受光し、受光した光の出力に応じて受光電流を出力する。このフォトダイオード１０３から出力される受光電流は、温度上昇等により発光素子１０１からの光の出力が低下すると、減少する。この受光電流が減少すると、パワー検出回路１３７からの出力電流も減少する。この出力電流は、駆動回路１３６の制御端子に入力されている。そして、パワー検出回路１３７からの出力電流が減少すると、駆動回路１３６からの出力電流が増加する。これにより、出力端子１２３から駆動電流が増加する。このようにして、温度等により発光素子１０１の光出力が低下した場合には、それを補うように、駆動電流が増加する。このように、図８の光送信機では、フォトダイオード１０３により発光素子の光出力を直接検出することで、より高い精度の温度補償が行われる。
【０００９】
【特許文献１】
特開平８−３６０４７号公報
【００１０】
【発明が解決しようとする課題】
しかしながら、従来の光送信機には、温度補償の精度を高めようとすると、部品が増え、構造が複雑になってしまい、コストが高くなるという問題があった。すなわち、図８の光送信機は、上記のように温度補償の精度を高めている。しかし、この光送信機は、フォトダイオード１０３を余分に配置しなければならず、部品が増えてしまい、複雑なパッケージ構造となってしまう。これにより、コストが高くなってしまう。
【００１１】
他方、従来の光送信機には、部品を減らそうとすると、温度補償の精度が下がってしまうという問題があった。すなわち、図７の光送信機は、送信回路１０２の温度を温度検出器１３３で測定して、出力端子１２２からの駆動電流を変化させ、これにより発光素子１０１の光出力を制御している。しかし、図７の光送信機では、この駆動電流の変化等により、発光素子１０１のジャンクションの温度が変化する。そして、図７の光送信機では、発光素子１０１の光出力を直接検出していない。これらのため、図７の光送信機では、温度補償の精度が下がってしまう。また、上記の発光素子１０１のジャンクションの温度変化を避けるために、例えばペルチェ素子等の温度調整機能を有する素子を新たに設けると、このペルチェ素子が高価なため、コストが著しく高くなってしまう。
【００１２】
本発明は、かかる課題の認識に基づくものであり、その目的は、光出力の温度補償の精度が高く、かつ、低コストの光送信機を提供することである。
【００１３】
【課題を解決するための手段】
本発明の実施の形態の光送信機は、第１の入力端子と、第２の入力端子と、出力端子と、を有し、前記第１の入力端子から入力された入力電気信号に応じて前記出力端子から駆動電流を出力する送信回路と、同一チップ上に形成された、第１のダイオードと、第２のダイオードと、を有し、前記第１のダイオードの陽極または陰極の一方が前記出力端子に接続され、他方が外部接続用電極に接続され、前記出力端子からの前記駆動電流により前記第１のダイオードが発光し、前記第２のダイオードの陽極または陰極の一方が前記第２の入力端子に接続され、他方が前記外部接続用電極に接続された、発光素子と、を備え、前記第２の入力端子の電位を測定することによって、前記第２のダイオードの前記陽極と前記陰極との電位差を測定し、この電位差から前記発光素子の温度を検出し、その温度検出値に応じて、前記出力端子からの前記駆動電流を増減することを特徴とする。
【００１４】
また、本発明の実施の形態の光送信機は、入力端子と、第１の出力端子と、を有し、前記入力端子から入力された入力電気信号に応じて前記第１の出力端子から駆動電流を出力する送信回路と、温度検出部と、第２の出力端子と、を有し、前記温度検出部で検出した温度に応じて前記第２の出力端子から電流を出力する補正出力回路と、同一チップ上に形成された、第１のダイオードと、第２のダイオードと、を有し、前記第１のダイオードの陽極または陰極の一方が前記出力端子に接続され、他方が外部接続用電極に接続され、前記出力端子からの前記駆動電流により前記第１のダイオードが発光し、前記第２のダイオードの陽極または陰極の一方が前記第２の入力端子に接続され、他方が前記外部接続用電極に接続され、前記第２の出力端子からの前記電流により前記第２のダイオードが駆動される、発光素子と、を備え、前記温度検出部が検出した温度が上昇するとその上昇の割合に応じて前記電流を下げて前記第２のダイオードの発熱を抑制することで、前記発光素子の温度の上昇を抑制し、前記温度検出部が検出した温度が低下するとその低下の割合に応じて前記電流を上げて前記第２のダイオードの発熱を増加させることで、前記発光素子の温度の下降を抑制することを特徴とする。
【００１５】
【発明の実施の形態】
以下、図面を参照にしつつ、本発明の実施の形態について説明する。以下では、２つの実施の形態について説明する。
【００１６】
（第１の実施の形態）
第１の実施の形態の光送信機は、図１に示すように、発光素子１の温度変化に応じて変化する第２のダイオード１２の順電圧Ｖｆを測定し、この順電圧Ｖｆの変化に応じて第１のダイオード１１の駆動電流Ｉｆを増減させる光送信機である。これにより、温度変化による第１のダイオード１１の光出力の変動を抑制することができ、かつ、低コストの光送信機を提供することができる。
【００１７】
図１は、本発明の第１の実施の形態の光送信機を示す図である。光送信機は、発光素子１と、送信回路２と、を備える。
【００１８】
このうち、送信回路２は、第１の入力端子２１と、出力端子２２と、第２の入力端子２３と、定電流回路５０と、を有する。また、この送信回路２は、入力回路３１と、駆動回路３２と、パワー検出回路３３と、を有する。この送信回路２では、第１の入力端子２１からデジタルの電気信号が入力され、この電気信号に応じて、出力端子２２から駆動電流Ｉｆが出力される。また、第２の入力端子には、定電流回路５０から、定電流としてのバイアス電流ＩＢが供給される。
【００１９】
また、発光素子１は、同一チップ上に形成された第１のダイオード１１および第２のダイオード１２と、第１の外部接続用端子１３と、第２の外部接続用端子１４と、第３の外部接続用端子（外部接続用電極）１５と、を有する。上記第１のダイオード１１の陽極は第１の外部接続用端子１３に接続され、陰極１５は第３の外部接続用端子１５に接続される。また、第２のダイオード１２の陽極は第２の外部接続用端子１４に接続され、陰極は第３の外部接続用端子１５に接続される。この第３の外部接続用端子１５は、第１のダイオード１１と第２のダイオード１２との共通電極となる。この第３の外部接続用端子１５は、グランドに接続されている。本実施形態の特徴の１つは、この第２のダイオード１２と、第１のダイオード１１と、が同一のチップ上に形成されている点である。上記の第１のダイオード１１は、ＬＥＤやＬＤなどの発光を行うダイオードである。また、第２のダイオード１２は、発光を行わないダイオードである。
【００２０】
上記の第１のダイオード１１の陽極は、出力端子２２に接続されている。この出力端子２２からの駆動電流Ｉｆにより、第１のダイオード１１は、光を放射する。また、第２のダイオード１２の陽極は、第２の入力端子２３に接続されている。この第２のダイオード１２の陽極には、定電流としてのバイアス電流ＩＢが、第２の入力端子２３を介して供給される。この定電流としてのバイアス電流ＩＢにより、第２のダイオード１２が駆動される。また、送信回路２は、第２の入力端子２３で上記の第２のダイオード１２の陽極の電位を測定して、第２のダイオード１２の陽極と陰極との電位差（順電圧）Ｖｆを測定する。
【００２１】
図１の光送信機では、図２に示すように、発光素子１の温度（第１のダイオード１１および第２のダイオード１２の温度）Ｔｊが上昇すると、第１のダイオード１１の光出力Ｐｏが低下する。そこで、図１の光送信機では、送信回路２が、第２の入力端子２３で測定される第２のダイオード１２の順電圧Ｖｆから発光素子１の温度Ｔｊを検出し、その温度検出値に応じて出力端子２２からの駆動電流Ｉｆを増減することで、第１の発光ダイオード１１の光出力Ｐｏの変動を抑制している。これを、図３、図４を用いて説明する。
【００２２】
図３は、第２のダイオード１２の順電圧Ｖｆの温度特性を示す図である。横軸は、この第２のダイオード１２および第１のダイオード１１の温度Ｔｊを、縦軸は第２のダイオード１２の順電圧Ｖｆを、それぞれ示している。この第２のダイオード１２には、図１に示すように、定電流回路５０から、定電流としてのバイアス電流ＩＢが流されている。そして、このバイアス電流ＩＢにより、順電圧Ｖｆが生じている。このダイオード１２は、定電流駆動において、図３に示すように、温度Ｔｊが上昇すると、順電圧Ｖｆが低下する。逆に、ダイオード１２の温度Ｔｊが低下すると、ダイオード１２の順電圧Ｖｆが上昇する。
【００２３】
図４は、上記の第２のダイオード１２の順電圧Ｖｆと、第１のダイオード１１の駆動電流Ｉｆと、の関係を示す図である。図１の光送信機では、順電圧Ｖｆは、送信回路２の第２の入力端子２３に入力されている。この順電圧Ｖｆが低下すると、送信回路２のパワー検出回路３３からの出力電流が減少する。このパワー検出回路３３からの出力電流は、駆動回路３２の制御端子に入力されている。そして、パワー検出回路３３からの出力電流が減少すると、駆動回路３２からの出力電流が増加する。これにより、出力端子２２からの駆動電流Ｉｆが増加する。このようにして、図４に示すように、第２のダイオード１２の順電圧Ｖｆが低下すると、駆動電流Ｉｆが増加する。逆に、第２のダイオード１２の順電圧Ｖｆが上昇すれば、駆動電流Ｉｆが減少する。
【００２４】
上記の図３、図４から分かるように、発光素子１の温度Ｔｊが上昇すると、第２のダイオード１２の順電圧Ｖｆが低下し（図３）、その低下の割合に応じて駆動電流Ｉｆが増加する（図４）。これにより、温度Ｔｊの上昇による第１のダイオード１１の光出力Ｐｏの低下（図２）を抑制することができる。また、図３、図４から分かるように、発光素子１の温度Ｔｊが低下すると、ダイオード１２の順電圧Ｖｆが上昇し（図３）、その上昇の割合に応じて駆動電流Ｉｆが低下する（図４）。これにより、温度Ｔｊの低下による発光素子１１の光出力Ｐｏの上昇（図２）を抑制することができる。このようにして、図１の光送信機では、発光素子１の温度Ｔｊが変化しても、発光素子１の第１のダイオード１１の光出力Ｐｏの変動を抑制することができる。
【００２５】
さらに、図１の光送信機では、発光素子１の温度Ｔｊを直接検知している。これにより、温度補償の精度を高くすることができる。
【００２６】
また、図１の光送信機では、従来の光送信機（図８）と異なり、フォトダイオード１０３を余分に配置していない。このため、部品が増えず、複雑なパッケージ構造とはならず、コストを低く抑えることができる。
【００２７】
また、図１の光送信機では、送信回路２における出力端子２２にとって順電圧Ｖｆの読み取りが負荷とならないため、高速動作をすることができる。このため、図１の光送信機は、第１のダイオード１１にＬＤを用いた高速動作可能な光送信機を提供することができる。
【００２８】
以上のように、図１の光送信機では、高速動作可能で、光出力の温度補償の精度が高く、かつ、低コストの提供することができる。
【００２９】
以上説明した図１の光送信機では、第１のダイオード１１および第２のダイオード１２の陽極と陰極を逆に接続することもできる。
【００３０】
また、図１の光送信機では、第２のダイオード１２は、温度を正確に検出するために、発光を行わないダイオードとすることが好ましい。ただし、必要に応じて、第１のダイオード１１に比べて１／１０以下の微弱な発光をするダイオードとすることができる。
【００３１】
（第２の実施の形態）
第２の実施の形態の光送信機は、図５に示すように、第２のダイオード１７の発熱を利用して、発光素子１を一定の温度に維持する光送信機である。これにより、発光素子１の第１のダイオード１６からの光出力の温度補償の精度を高くすることができる。
【００３２】
図５は、本発明の第２の実施の形態の光送信機を示す図である。光送信機は、入力回路および駆動回路３４、入力端子２４、第１の出力端子２５、発光素子１、補正出力回路２６、３５、を備える。送信回路２は、入力端子２４と、第１の出力端子２５と、を有し、入力端子２４から入力された入力電気信号に応じて第１の出力端子２５から駆動電流Ｉｆ１を出力する。また、この送信回路２には、補正出力回路２６、３５が組み込まれている。この補正出力回路は、温度検出部３５と、第２の出力端子２６と、を有し、温度検出部３５で検出する温度に応じて第２の出力端子２６から電流Ｉｆ２を出力する。具体的には、温度検出部３５は、温度特性をもつ抵抗、ダイオード、トランジスタ、等を有し、出力電圧が温度により変化する。そして、電流Ｉｆ２は、温度検出部３５が検出した温度（環境温度）Ｔａが上昇すると低下し、温度Ｔａが低下すると上昇する。
【００３３】
また、発光素子１は、同一チップ上に形成された第１のダイオード１６および第２のダイオード１７と、第１の外部接続用端子１３と、第２の外部接続用端子１４と、第３の外部接続用端子（外部接続用電極）１５と、を有する。上記第１のダイオード１６の陽極は第１の外部接続用端子１３に接続され、陰極は第３の外部接続用端子１５に接続される。また、第２のダイオード１７の陽極は第２の外部接続用端子１４に接続され、陰極は第３の外部接続用端子１５に接続される。この第３の外部接続用端子１５は、第１のダイオード１６と第２のダイオード１７との共通電極となる。この第２の外部接続用端子１５は、グランドに接続されている。
【００３４】
上記の第１のダイオード１６は、ＬＥＤやＬＤなどの発光を行うダイオードである。また、第２のダイオード１７は、発光を行わないダイオードである。図５の光送信機の特徴の１つは、この第２のダイオード１７が、発光素子１の温度調整を行う機能を有する点である。
【００３５】
図５の光送信機では、上記第１の外部接続用端子１３が第１の出力端子２５に接続され、第１の出力端子２５からの駆動電流Ｉｆ１により第１のダイオード１６が発光する。また、第２の外部接続用端子１４が第２の出力端子２６に接続され、第２の出力端子２６からの電流Ｉｆ２により第２のダイオード１７が駆動される。
【００３６】
図５の光送信機では、図６に示すように、温度検出部３５が検出した温度Ｔａが上昇すると、その上昇の割合に応じて電流Ｉｆ２が減少する。これにより、第２のダイオード１７の温度が低下し、発光素子１の温度Ｔｊの上昇が抑制される。このようにして、温度Ｔａが上昇すると、その上昇の割合に応じて第２のダイオード１７の電流Ｉｆ２が減少し、発光素子１の温度Ｔｊの上昇が抑制される。これにより、発光素子１の温度を一定に保つことができる。また、温度Ｔａが低下すると、その低下の割合に応じて第２のダイオード１７の電流Ｉｆ２が増加し、発光素子１の温度Ｔｊの低下が抑制されて、発光素子１の温度Ｔｊが一定に保たれる。このように発光素子１の温度Ｔｊが一定に保たれることにより、発光素子１の第１の発光ダイオードからの光出力Ｐｏが一定に保たれる。
【００３７】
以上説明した図５の光送信機では、発光素子１のジャンクションの温度の変動が少ないので、第１の発光ダイオードからの光出力Ｐｏの温度補償の精度を高くすることができる。
【００３８】
また、図５の光送信機では、フォトダイオード等を余分に配置していない。このため、部品が増えず、複雑なパッケージ構造とはならず、コストを低く抑えることができる。
【００３９】
また、図５の光送信機では、発光素子１の温度Ｔｊを高温に維持しているが、発光素子１の第１のダイオード１６の駆動電流Ｉｆ１の変動や、発光素子１のジャンクション温度の変動が少ない。このため、第１のダイオード１１の寿命を長くすることができる。これにより、図５の光送信機では、発光素子１の寿命を長くすることができる。
【００４０】
以上のように、図５の光送信機では、低コストで、光出力の温度補償の精度が高い送信機を提供することができる。そして、図５の光送信機は、駆動電流Ｉｆ１の増加により発光素子１の寿命が大きく変わるような場合には、特に有効である。
【００４１】
以上説明した図５の光送信機では、第２のダイオード１７および第１のダイオード１６の陽極と陰極とを逆に接続することもできる。また、送信回路２の温度検出部３５により、電流Ｉｆ２に加えて駆動電流Ｉｆ１も制御することもできる。また、図５の光送信機と、図１の光送信機と、を組み合わせて３連のダイオードを用いることもできる。
【００４２】
【発明の効果】
本発明によれば、光送信機において、発光する第１のダイオードと、第２のダイオードと、が同一のチップ上に形成された発光素子を用い、この発光素子の温度変化に応じて変化する第２のダイオードの順電圧を測定し、この順電圧の変化に応じて第１のダイオードの駆動電流を増減させたので、光出力の温度補償の精度が高く、低コストの光送信機を提供することができる。また、発光する第１のダイオードと、第２のダイオードと、が同一のチップ上に形成された発光素子を用い、第２のダイオードの発熱を利用して発光素子の温度を一定に維持するようにしたので、光出力の温度補償の精度が高く、低コストの光送信機を提供することができる。
【図面の簡単な説明】
【図１】本発明の第１の実施の形態の光送信機を示す図。
【図２】本発明の第１の実施の形態の光送信機の、発光素子１の温度Ｔｊと、発光素子１の第１のダイオード１１の光出力Ｐｏと、の関係を示す図。
【図３】本発明の第１の実施の形態の光送信機の、発光素子１の温度Ｔｊと、発光素子１の第２のダイオード１２の順電圧Ｖｆと、の関係を示す図。
【図４】本発明の第１の実施の形態の光送信機の、第２のダイオード１２の順電圧Ｖｆと、第１のダイオード１１の駆動電流Ｉｆと、の関係を示す図。
【図５】本発明の第２の実施の形態の光送信機を示す図。
【図６】本発明の第２の実施の形態の光送信機の、温度検出部３５が検出した温度Ｔａと、補正出力回路からの電流Ｉｆ２と、の関係を示す図。
【図７】従来の光送信機を示す図。
【図８】従来の光送信機を示す図。
【符号の説明】
１  発光素子
２  送信回路
１１  第１のダイオード
１２  第２のダイオード
１３  第１の外部接続用端子
１４  第２の外部接続用端子
１５  第３の外部接続用端子（外部接続用電極）
１６  第１のダイオード
１７  第２のダイオード
２１  第１の入力端子
２２  出力端子
２３  第２の入力端子
２４  入力端子
２５  第１の出力端子
２６  第２の出力端子
３５  温度検出部
Ｉｆ  駆動電流
ＩＢ  バイアス電流
Ｖｆ  順電圧
Ｉｆ１  駆動電流
Ｉｆ２  電流
【図１】
2005019512.tif 000003
【図２】
2005019512.tif 000004
【図３】
2005019512.tif 000005
【図４】
2005019512.tif 000006
【図５】
2005019512.tif 000007
【図６】
2005019512.tif 000008
【図７】
2005019512.tif 000009
【図８】
2005019512.tif 000010